(57)【特許請求の範囲】
【請求項１】
前方及び左右が開放され且つ断熱性が付与されたケース本体を備え、このケース本体の左右開放部に側板を付設するとともに、ケース本体内にて商品を陳列し且つ保冷するショーケースにおいて、
前記ケース本体の底部は断熱材が介在される内板と外板とを有し、この外板の外側面に断熱材を張り付けた
ことを特徴とするショーケース。
【請求項２】
前記外板は、前方及び左右の縁から立ち上がり且つ外側面に断熱材が張り付けられたフランジを有する
ことを特徴とする請求項１記載のショーケース。
【請求項３】
前記外板の前方の縁から立ち上がるフランジは、当該フランジの頂部から後方に折れ曲がり且つ上面に断熱材が張り付けられた折曲部を有する
ことを特徴とする請求項２記載のショーケース。
【発明の詳細な説明】
【０００１】
【発明の属する技術分野】
本発明は商品を陳列・保冷するためのショーケース、特にそのケース本体底部の構造に関するものである。
【０００２】
【従来の技術】
冷蔵用のショーケースは断熱性が付与されたケース本体を備えており、このケース本体は天パネル、背パネル、底パネル及び前（前下）パネルを縦断面ほぼコの字状に組み付けて構成され、ケース本体の前方及び左右両側方は開放されている。ケース本体内にはケース本体の上下及び後方の各内側面とほぼ平行に若干離隔させて縦断面コの字状の区画板が設けられ、この区画板の内側に商品を陳列・保冷する商品陳列部が、外側に冷気を流通・循環させるダクトがそれぞれ形成される。ダクト内には冷却器と送風機とが設置され、冷却器によって熱交換された冷気は送風機によってダクト内を上方に、次いで前方に送られた後、ダクトの上部前方に設けられた吹出口から下方に向けて吹き出され、この吹き出された冷気は、ダクトの下部前方に設けられた吸込口から再びダクト内に取り込まれ、再循環される。この吹出口から吸込口へと流下する冷気はケース本体の前方開放部にエアーカーテンを形成し、冷気の前方への流出を防止する。また、ケース本体左右の開放部は側板が付設されて閉じられる。この側板の付設に際しては、ケース本体の側部及び上記区画板の側部に沿ってパッキンを張り付けた後、側板を取り付けることにより、ダクト−ケース本体外部間及びダクト−商品陳列部間をそれぞれ気密にシールしている。
【０００３】
また、ケース本体を成す天パネル、背パネル、底パネル及び前パネルは、それぞれ金属製で薄肉な内板及び外板と、内板−外板間の周縁に介在される側枠とから中空パネルを組み立てた後、この中空パネル内に断熱材を充填して形成される。そしてこれら各パネルをケース本体として組み付けるに際しては、互に連結される各パネルの接合部間をシリコーンでシールした後、接合・連結することにより、接合部からの気漏れを防止している。
【０００４】
以上のようなショーケースでは、ケース本体の底パネルの外側面、即ち底パネル外板の外側面に結露が発生すると、これが床面上にこぼれ落ちて溜まり、非常に好ましくない。そのため従来は、ケース本体底パネルの下方にファンモータを設置し、このファンモータによってショーケース外部の空気を前方から取り込み、後方へと流通させて、底パネル外側面における結露の発生を防止していた。
【０００５】
【発明が解決しようとする課題】
しかしながら、上記ファンモータは、取付用の板、操作スイッチ、ファンガード、配線等、構成・付属部品の点数が多く、高コストである。また、ファンモータではメンテナンスを要する他、ユーザあるいはメンテナンス業者が底パネルの結露状況に応じてＯＮ・ＯＦＦ操作しており、このような結露状況の確認及びＯＮ・ＯＦＦ操作は面倒である。更にまた、底パネル下方には、例えば電源端子板、温度調節器、排水ホース、排水トラップ等が配設されており、これらによってファンモータの設置位置が規制され、底パネル外側面全域の結露を有効に防止できなかった。
【０００６】
従来のショーケースではまた、上述したケース本体に側板を取り付ける際のパッキンの張り付け作業や、ケース本体を形成する際の各パネル間のシール作業が面倒であった。
【０００７】
本発明は以上の問題点に鑑みてなされたものであり、その目的は、ケース本体の底部外側面における結露を安価且つ確実に防止することができ、操作やメンテナンスが不要で、側板やケース本体の組み付け作業を削減することができるショーケースを提供することにある。
【０００８】
【課題を解決するための手段】
上記課題を解決するため、請求項１に係る本発明では、前方及び左右が開放され且つ断熱性が付与されたケース本体を備え、このケース本体の左右開放部に側板を付設するとともに、ケース本体内にて商品を陳列し且つ保冷するショーケースにおいて、前記ケース本体の底部は断熱材が介在される内板と外板とを有し、この外板の外側面に断熱材を張り付けたことを特徴としている。本発明に係るショーケースによれば、ケース本体の底部を成す外板の外側面に断熱材を張り付けることにより、ケース本体の底部外側面に対する結露をファンモータを用いることなく確実に防止することができる。
【０００９】
請求項２に係る本発明では、請求項１に係る本発明において、前記外板は、前方及び左右の縁から立ち上がり且つ外側面に断熱材が張り付けられたフランジを有することを特徴としている。本発明に係るショーケースによれば、外板の左右の縁から立ち上がるフランジの外側面に張り付けた断熱材によって、当該フランジとケース本体の左右に取り付けられる側板との間を気密にシールすることができる。
【００１０】
請求項３に係る本発明では、請求項２に係る本発明において、前記外板の前方の縁から立ち上がるフランジは、当該フランジの頂部から後方に折れ曲がり且つ上面に断熱材が張り付けられた折曲部を有することを特徴としている。本発明に係るショーケースによれば、ケース本体の組み付け時における当該底部とケース本体前部との連結に際し、外板の前方の縁から立ち上がるフランジの折曲部上面に張り付けた断熱材が、底部−前部間におけるシール材の役割を果たす。
【００１１】
【発明の実施の形態】
図１〜図６は本発明の好適な実施形態を概略的に示すもので、図１はショーケースの斜視図、図２はショーケースの縦断面説明図、図３はケース本体の底部の斜視図、図４は底部の外板の斜視図、図５はショーケースの底面図、図６は底部と前部との接合部付近を拡大して示す側面説明図である。
【００１２】
ショーケース１は断熱性が付与されたケース本体１０を備えている。このケース本体１０は、図２に示すように、天部としての天パネル１０ａ、背部としての背パネル１０ｂ、底部としての底パネル２０及び前部としての前パネル１０ｃを有し、これら各パネル１０ａ、１０ｂ、２０、１０ｃを縦断面ほぼコの字状に連結・接合して構成されている。またケース本体１０の前方及び左右両側方は開放されている。
【００１３】
ケース本体１０内にはケース本体１０の上下及び後方の各内側面とほぼ平行に若干離隔させて縦断面コの字状の区画板１１が設けられ、この区画板１１の内側に商品を複数段の棚１２ａに陳列する商品陳列部１２が、外側に冷気を流通・循環させる縦断面コの字状のダクト１３がそれぞれ形成されている。ダクト１３内には後部に冷却器１３ａが、下部に送風機１３ｂがそれぞれ設置されている。そして冷却器１３ａによって熱交換された冷気は送風機１３ｂによってダクト１３後部を上昇し、次いでダクト１３上部を前進した後、ダクト１３の上部前方に設けられた吹出口１３ｃから下方に向けて吹き出され、この吹き出された冷気は、ダクト１３の下部前方に設けられた吸込口１３ｄから再びダクト１３内に取り込まれ、再循環される。この吹出口１３ｃから吸込口１３ｄへと流下する冷気はケース本体１０の前方開放部にエアーカーテンを形成し、これによってケース本体１０内の冷気が前方へ流出するのを防止できるようになっている。また、ケース本体１０の左右開放部には側板１４が付設されている。尚、側板１４における前方の商品陳列部１２に対応する部分には透明板がはめ込まれている。また、図２等における符号１６は台枠を、１７は電源端子板を示している。
【００１４】
底パネル２０は、図３に示すように、金属製で薄肉な内板２１及び外板２２と、内板２１−外板２２間の周縁に介在される側枠２３（便宜のため図３の手前側にのみ図示する。）と、これら内枠２１、外板２２及び側枠２３によって包囲された内部空間に充填される断熱材とによって厚肉なパネルとして形成される。尚、天パネル１０ａ、背パネル１０ｂ及び前パネル１０ｃも同様に内・外板、側枠及び断熱材によって形成されている。
【００１５】
底パネル２０の外板２２は、図４に示すように、周縁、即ち前後左右の縁、及び前方の縁の左右端と左右の縁の前端とを斜めに結ぶ縁からそれぞれ立ち上がるフランジ２４ａ、２４ｂ、２４ｃ、２４ｄ、２４ｅを備えている。これらの内、前方のフランジ２４ａはその頂部から後方に折れ曲がる折曲部２５を有して縦断面Ｌ字状を成している。そして、外板２２において底パネル２０の外表面に現れる部分、即ち、フランジ２４ａ、２４ｂ、２４ｃ、２４ｄ、２４ｅの外側面及び接曲部２５の上面を含む外板２２の外側面に対しては、硬質ポリウレタン等の断熱材２６が約３ｍｍ程の厚さにて張り付けられている。かかる断熱材によって、底パネル２０の外側面上における結露の発生が確実に防止される他、更に次のような利点がもたらされる。
【００１６】
イ）ケース本体１０左右の開放部に側板１４を付設するに際しては、従来、図１中の破線１５ａ及び一点破線１５ｂにて示すようにケース本体１０の側部及び区画板１１の側部に沿ってパッキン１５（図６参照）を連続的に張り付けた後、、側板１４を取り付けることにより、ダクト１３−ケース本体１０外部間及びダクト１３−商品陳列部１２間をそれぞれ気密にシールしていた。しかし、本実施形態では、底パネル２０の外板２２における左右のフランジ２４ｃ、２４ｄ外側面の断熱材２６が、一点破線１５ｂ（図１参照）部分におけるパッキン１５の役割を果たすため、この一点破線１５ｂ部分のパッキン張り付け作業を省くことができる。
【００１７】
ロ）図６を参照して、底パネル２０と前パネル１０ｃとを連結するに際しては、従来、これらを突き合わせる接合部間１０ｅの隙間をシール材でシールした後、連結していた。しかし、本実施形態では、底パネル２０外板２２の前方のフランジ２４ａの折曲部２５が上記接合部間１０ｅに入り込み、折曲部２５上面の断熱材２６がシール材の役割を果たすため、この接合部間１０ｅにシール材を設ける手間を省くことができる。
【００１８】
【発明の効果】
請求項１に係る本発明のショーケースによれば、ケース本体の底部を成す外板の外側面に断熱材を張り付けることにより、ケース本体の底部外側面に対する結露をファンモータを用いることなく確実に防止することができる。そのため、ファンモータの取付板、スイッチ、ファンガード、配線等の部品及び電力が不要となり、コストを低減することができ、また面倒な操作やメンテナンスが不要となる。
【００１９】
請求項２に係る本発明のショーケースによれば、外板の左右の縁から立ち上がるフランジの外側面に張り付けた断熱材によって、当該フランジとケース本体の左右に取り付けられる側板との間を気密にシールすることができるため、側板の取り付け時に行われるパッキンの張り付け作業を、当該底部に対応する部分について省くことができる。
【００２０】
請求項３に係る本発明のショーケースによれば、ケース本体の組み付け時における当該底部とケース本体前部との連結に際し、外板の前方の縁から立ち上がるフランジの折曲部上面に張り付けた断熱材が、底部−前部間におけるシール材の役割を果たす。そのため、底部−前部間に対するシール材の塗布作業を省くことができる。
【図面の簡単な説明】
【図１】ショーケースの斜視図
【図２】ショーケースの縦断面説明図
【図３】底パネルの斜視図
【図４】底パネルの外板の斜視図
【図５】ショーケースの底面図
【図６】底パネルと前パネルとの接合部付近を拡大して示す側面説明図
【符号の説明】
１…ショーケース、１０…ケース本体、１０ｃ…前パネル、１５…パッキン、２０…底パネル、２２…外板、２４ａ、２４ｂ、２４ｃ、２４ｄ、２４ｅ…フランジ、２５…折曲部、２６…断熱材
【図１】
0003729703.tif 000002
【図２】
0003729703.tif 000003
【図３】
0003729703.tif 000004
【図４】
0003729703.tif 000005
【図５】
0003729703.tif 000006
【図６】
0003729703.tif 000007